(57)【要約】【課題】表示部等の電子デバイスへのデータ信号の伝送周波数またはその高調波の周波数がテレビジョン放送や無線通信におけるアンテナ特性に及ぼす影響を低減できる携帯端末を提供することを目的とする。【解決手段】本発明にかかる携帯端末は、電波を送受信するアンテナ２２４ａと、アンテナ２２４ａが送受信する電波の周波数帯を取得する周波数取得部２３０と、データ信号の信号処理を行う電子デバイス２１４と、データ信号を電子デバイス２１４に伝送する伝送部２５４と、データ信号を電子デバイス２１４に伝送するタイミングを生成するタイミング生成部２６２と、データ信号の伝送周波数またはその高調波の周波数が、周波数取得部２３０が取得した周波数帯に含まれないようにタイミング生成部２６２により生成されるタイミングを調整する周波数調整部２６０と、を備えたことを特徴とする。【選択図】図６
2010154362.tif 000002
【特許請求の範囲】
【請求項１】
電波を送受信するアンテナと、
前記アンテナが送受信する電波の周波数帯を取得する周波数取得部と、
データ信号の信号処理を行う電子デバイスと、
前記データ信号を前記電子デバイスに伝送する伝送部と、
前記データ信号を前記電子デバイスに伝送するタイミングを生成するタイミング生成部と、
前記データ信号の伝送周波数またはその高調波の周波数が、前記周波数取得部が取得した周波数帯に含まれないように前記タイミング生成部により生成されるタイミングを調整する周波数調整部と、
を備えることを特徴とする携帯端末。
【請求項２】
前記伝送部は、前記データ信号をセットアップする信号セットアップ処理と、該信号セットアップ処理によりセットアップされた前記データ信号を前記電子デバイスに書き込む信号書込処理とを交互に行うことで前記データ信号を前記電子デバイスに伝送し、
前記タイミング生成部は、前記信号セットアップ処理のタイミングおよび前記信号書込処理のタイミングを生成し、
前記周波数調整部は、前記セットアップ処理のタイミングと前記信号書込処理のタイミングの間隔を変更するように前記タイミング生成部により生成されるタイミングを調整する、ことを特徴とする請求項１に記載の携帯端末。
【請求項３】
前記周波数調整部は、前記信号セットアップ処理のタイミングと前記信号書込処理のタイミングのいずれか一方を調整する、ことを特徴とする請求項２に記載の携帯端末。
【請求項４】
前記周波数調整部は、前記タイミング生成部により生成されたタイミングを調整した場合の所定時間内における前記信号セットアップ処理の処理回数および前記信号書込処理の処理回数が、タイミングを調整しなかった場合の前記所定時間内の前記信号セットアップ処理の処理回数および前記信号書込処理の処理回数と同一となるようにタイミングを調整する、ことを特徴とする請求項２または３に記載の携帯端末。
【請求項５】
所定の周波数のクロック信号を生成するクロック生成部をさらに備え、
前記タイミング生成部は、前記クロック生成部により生成される前記クロック信号に基づいて前記タイミングを生成する、ことを特徴とする請求項１乃至４のいずれか１項に記載の携帯端末。
【請求項６】
前記周波数調整部は、前記クロック信号を変更させることにより前記タイミング生成部により生成されるタイミングを調整する、ことを特徴とする請求項５に記載の携帯端末。
【発明の詳細な説明】
【技術分野】
【０００１】
本発明は、電波を送受信する携帯端末に関する。
【背景技術】
【０００２】
電気回路内を流れる信号はアナログ的に見れば電流と電圧の脈動であり、信号を流すことによって回路から電磁波を生じ、また周辺から到達する電磁波によって回路内に起電力を生じることはよく知られている。このような電磁波は一般に外乱とよばれており、信号を流すときに外乱が発生し、信号を読み取る場合は外乱がノイズ源となる。外乱を出さない、または受けないための工夫としては、電線を導電体で被覆したり、回路パターンをグランドパターンで囲ったりすることが行われてきた。しかし電気回路がアナログからデジタルに移行したことにより、多少のノイズが混じったとしても信号を明確に解釈することが可能となったことから、従前よりは外乱によるノイズに対する耐性が向上してきている。
【０００３】
携帯電話端末やＰＨＳ（Personal Handy phone System）端末等の携帯端末は、近年急速に発達してきている典型的なデジタル機器である。携帯端末では、プログラム処理もデジタルであるが、電気回路内もデジタル信号がやりとりされている。そのため、内部の電気回路は、比較的外乱に強くなっている。
【０００４】
また携帯端末において、シリアル通信とパラレル通信が混在して用いられる場合がある。例えば二つ折り式の携帯端末では、ヒンジ部に通す信号線を少なくするためにシリアル通信を利用し、表示部側の筐体内においてシリアル−パラレル変換して、表示部（ＬＣＤ（Liquid Crystal Display）モジュール）に対してパラレル信号を伝送する構成が知られている。
【０００５】
図９は、従来の携帯端末１０における携帯制御部１２と表示部１４とのインタフェースの一例を示した機能ブロック図である。図９において、携帯端末１０の携帯制御部１２と表示部１４との間では高速シリアル伝送が実行され、携帯制御部１２から出力されたパラレルデータは、シリアル変換部１６によって一旦シリアルデータに変換される。
【０００６】
かかるシリアルデータを受信したシフトレジスタ１８の出力データは、バッファ部２０でセットアップされ、表示部１４にパラレルデータとして伝送される。このようにしてパラレルデータを取得した表示部１４は、携帯制御部１２が出力した所望の画像を表示することができる（例えば、特許文献１）。
【特許文献１】特開２００６−２１０９９２号公報
【発明の開示】
【発明が解決しようとする課題】
【０００７】
しかし、これらの携帯端末においても、電波を用いる場合には、依然として外乱を考慮せざるを得ない。デジタル通信であったとしても、電波自体はアナログ的な電磁波の強弱であり、また電磁波による微弱な起電力を増幅して受信しているためである。特に携帯端末自身の内部から生じる外乱は、アンテナに無視できない影響を生じ、アンテナ特性の劣化の原因となっている。また特に特許文献１のようにシリアル通信とパラレル通信が混在する場合において、パラレル通信は複数の線を用いて一度に信号を送信するため、強い外乱を出しやすい。
【０００８】
上述した従来技術において、例えば、携帯制御部１２から８．６８ＭＨｚの周期で８ビットのパラレルデータを表示部１４に伝送しようと試みた場合、シリアル変換部１６では、その８．６８ＭＨｚの周期を８逓倍した６９．４４ＭＨｚの伝送クロックを用いて８ビットのデータを伝送する。そして、表示部１４側では、シフトレジスタ１８とバッファ部２０によって、受信したシリアルデータを８分周し、周期が８．６８ＭＨｚの元のパラレルデータに戻している。
【０００９】
すなわち、バッファ部２０と表示部１４間の伝送は、タイミング生成部２２が生成する一定のタイミングに基づき行われる。詳しくは、信号セットアップ処理を行う第１タイミングによって、シフトレジスタ１８の出力（パラレルデータ）をバッファ部２０にセットアップし（信号セットアップ処理）、第２タイミングによって、信号セットアップ処理によりセットアップされたバッファ部２０のデータ信号を表示部１４に書き込む（信号書込処理）。
【００１０】
従って、表示部１４側では、携帯制御部１２側のデータ信号の伝送周波数に依存した８．６８ＭＨｚで表示部１４にデータ信号が伝送される。しかし、表示部１４へのデータ伝送をこのような８．６８ＭＨｚで固定的に実行すると、その周波数の電磁波、および整数倍の周波数の高調波が外乱として発生し、他の信号に影響を及ぼすことになる。
【００１１】
例えば、地上波デジタルによるテレビジョン放送を受信可能な携帯端末１０では、データ信号の伝送周波数８．６８ＭＨｚの６３次５４６．８４ＭＨｚの高調波がテレビジョン放送（物理チャンネル２５ｃｈ）の５４７．１４ＭＨｚに干渉し、映像や音声を劣化させていた。
【００１２】
かかるテレビジョン放送への干渉を回避するため、表示部１４の許容される範囲内で、データ信号の伝送周波数を設定することも考えられる。しかし、地上波デジタル放送の周波数は約４７０〜７７０ＭＨｚと幅が大きく、テレビジョン放送のすべての物理チャンネルにおいて多次の高調波による干渉を回避するのは困難である。全物理チャンネルで高調波を回避するには、テレビジョン放送の帯域がほぼ３００ＭＨｚであるから、ＬＣＤのデータ信号の伝送周波数を３００ＭＨｚ以上とし、かつ整数倍の高調波がテレビジョン放送の帯域内に入らないように設定しなくてはならない。しかし、これを実現するのは非常に困難である。
【００１３】
また、ＣＤＭＡ（Code Division Multiple Access）等の無線通信方式によって基地局と通信接続することが可能な携帯端末１０においても、上記同様、データ信号の伝送周波数８．６８ＭＨｚの高調波が、ＣＤＭＡの電波の受信帯域８４３ＭＨｚ〜８７５ＭＨｚに影響を及ぼすこととなる。
【００１４】
他の無線通信としては、国際対応のためにＧＳＭ(Global System for Mobile Communications)に対応すると、８５０／９００／１８００／１９００ＭＨｚ帯を使用することになる。また無線ＬＡＮであるＩＥＥＥ８０２．１１ｂ／ｇは２．４０ＧＨｚ帯、ＩＥＥＥ８０２．１１ａは５．１５ＧＨｚ帯を使用する。ＢｌｕｅＴｏｏｔｈ（登録商標）は２．４０ＧＨｚ帯を使用する。近年普及が進んでいるＦｅｌｉｃａ（登録商標）は１３．５６ＭＨｚ帯を使用する。このように多様化する周波数帯のすべてを回避しうるように伝送周波数を設定することは難しい。
【００１５】
特に可搬性を重視した携帯端末１０は、小型化、軽量化が図られ、電気素子同士の間隔を十分にとることができず、電気素子の配置によってはデータ信号の伝送周波数の影響を多大に受けてしまう。
【００１６】
同様の事態は、表示部（ＬＣＤ）に限らず、外部メモリに対するリード・ライトなどでも発生しうる。すなわち周期的に信号を伝送する電子デバイスを備えていれば、同様の事態を生じうる。
【００１７】
本発明は、このような問題に鑑み、表示部等の電子デバイスへのデータ信号の伝送周波数がテレビジョン放送や無線通信におけるアンテナ特性に及ぼす影響を低減できる携帯端末を提供することを目的としている。
【課題を解決するための手段】
【００１８】
上記課題を解決するために、本発明にかかる携帯端末の代表的な構成は、電波を送受信するアンテナと、アンテナが送受信する電波の周波数帯を取得する周波数取得部と、データ信号の信号処理を行う電子デバイスと、データ信号を電子デバイスに伝送する伝送部と、データ信号を電子デバイスに伝送するタイミングを生成するタイミング生成部と、データ信号の伝送周波数またはその高調波の周波数が、周波数取得部が取得した周波数帯に含まれないようにタイミング生成部により生成されるタイミングを調整する周波数調整部と、を備えることを特徴とする。
【００１９】
伝送部は、データ信号をセットアップする信号セットアップ処理と、信号セットアップ処理によりセットアップされたデータ信号を電子デバイスに書き込む信号書込処理とを交互に行うことでデータ信号を電子デバイスに伝送し、タイミング生成部は、信号セットアップ処理のタイミングおよび信号書込処理のタイミングを生成し、周波数調整部は、セットアップ処理のタイミングと信号書込処理のタイミングの間隔を変更するようにタイミング生成部により生成されるタイミングを調整してもよい。
【００２０】
周波数調整部は、信号セットアップ処理のタイミングと信号書込処理のタイミングのいずれか一方を調整してもよい。
【００２１】
周波数調整部は、タイミング生成部により生成されたタイミングを調整した場合の所定時間内における信号セットアップ処理の処理回数および信号書込処理の処理回数が、タイミングを調整しなかった場合の所定時間内の信号セットアップ処理の処理回数および信号書込処理の処理回数と同一となるようにタイミングを調整してもよい。
【００２２】
所定の周波数のクロック信号を生成するクロック生成部をさらに備え、タイミング生成部は、クロック生成部により生成されるクロック信号に基づいてタイミングを生成してもよい。
【００２３】
周波数調整部は、クロック信号を変更させることによりタイミング生成部により生成されるタイミングを調整してもよい。
【発明の効果】
【００２４】
以上のように本発明では、表示部等の電子デバイスへのデータ信号の伝送周波数が、テレビジョン放送や無線通信におけるアンテナ特性に及ぼす影響を低減することができ、テレビジョン放送や無線通信の受信感度を向上することが可能となる。
【発明を実施するための最良の形態】
【００２５】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２６】
（無線通信システム１００）
図１は、無線通信システム１００の概略的な接続関係を示した説明図である。当該無線通信システム１００は、携帯端末１１０と、携帯端末１１０のアクセスポイントとしての基地局１２０と、基地局１２０に接続されたＩＳＤＮ(Integrated Services Digital Network)回線、インターネット、専用回線等で構成される通信網１３０と、通信網１３０に接続された管理サーバ１４０と、地上波デジタル放送を発信する放送局１５０と、を含んで構成される。
【００２７】
当該無線通信システム１００において、携帯端末１１０は、管理サーバ１４０の管理の下、基地局１２０を通じて他の携帯端末１１０との通話や通信を実行できる。また、その他の無線機構として放送局１５０からテレビジョン放送（ワンセグ放送）を受信でき、テレビ番組を視聴することが可能である。このような携帯端末１１０は小型化、軽量化が望まれているにも拘わらず、多様化の要望もあり、小さな占有空間に様々な電気素子が密接して配されている。携帯端末１１０では、このような電気素子の密接した配置によって、テレビジョン放送の受信信号や基地局１２０との無線信号が、内部の電子デバイスにおけるデータ信号の伝送周波数の影響を多大に受けてしまう。
【００２８】
本実施形態では、このようなデータ信号の伝送周波数がテレビジョン放送や無線通信などの電波を受信するアンテナ特性に及ぼす影響を低減することで、電波の受信感度を向上することを目的としている。以下、携帯端末１１０の具体的な構成を述べる。
【００２９】
（携帯端末１１０）
図２は、携帯端末１１０のハードウェア構成を示した機能ブロック図であり、図３は、携帯端末１１０の外観を示した斜視図である。携帯端末１１０は、携帯制御部２１０と、携帯メモリ２１２と、電子デバイスの例としての表示部２１４と、操作部２１６と、音声入力部２１８と、音声出力部２２０と、無線通信部２２２と、放送受信部２２４とを含んで構成される。
【００３０】
かかる携帯端末１１０としては、携帯電話端末、ＰＨＳ端末、ノート型パーソナルコンピュータ、ＰＤＡ（Personal Digital Assistant）、デジタルカメラ、音楽プレイヤー、カーナビゲーション、ＰＮＤ（Personal Navigation Device）、ゲーム機器、ＤＶＤプレイヤー、リモートコントローラ等無線通信可能な様々な携帯端末を用いることができる。本実施形態では、携帯端末１１０として携帯電話端末を挙げて説明する。
【００３１】
携帯制御部２１０は、中央処理装置（ＣＰＵ）を含む半導体集積回路により携帯端末１１０全体を管理および制御し、携帯メモリ２１２のプログラムを用いて、通話機能、メール送受信機能、撮像機能、音楽再生機能、ＴＶ視聴機能も遂行する。すなわち携帯制御部２１０は、放送受信部２２４により処理された電波に係る信号に基づいて所定の機能を動作する機能動作部としても動作する。
【００３２】
携帯メモリ２１２は、ＲＯＭ、ＲＡＭ、ＥＥＰＲＯＭ、不揮発性ＲＡＭ、フラッシュメモリ、ＨＤＤ等で構成され、携帯制御部２１０で処理されるプログラムや通信データ等を記憶する。
【００３３】
表示部２１４は、液晶ディスプレイ、ＥＬ(Electro Luminescence)ディスプレイ等とそのコントローラで構成され、後述する放送受信部２２４で受信されたテレビジョン放送の他、携帯メモリ２１２に記憶された、または通信網１３０を介してＷｅｂサーバ（図示せず）から提供される動画データ、Ｗｅｂコンテンツ、アプリケーションのＧＵＩ（Graphical User Interface）等を表示することができる。本実施形態では、電子デバイスとして、かかる表示部２１４を挙げて説明する。
【００３４】
操作部２１６は、キーボード、十字キー、ジョイスティック等の可動スイッチで構成され、ユーザの操作入力を受け付ける。
【００３５】
音声入力部２１８は、マイク等の音声認識手段で構成され、通話時に入力されたユーザの音声を携帯端末１１０内で処理可能な電気信号に変換する。音声出力部２２０は、スピーカで構成され、携帯端末１１０で受信した通話相手の音声信号を音声に変えて出力する。また、音声出力部２２０は、着信音や、操作部２１６の操作音、アラーム音等も出力できる。
【００３６】
無線通信部２２２は、アンテナ２２２ａを介して、ＣＤＭＡやＷｉＭＡＸ（Worldwide Interoperability for Microwave Access）等の無線通信方式にて基地局１２０との無線通信を確立し、通信相手との音声通信やＷｅｂサーバとのデータ通信を遂行する。
【００３７】
放送受信部２２４は、アンテナ２２４ａにより送信または受信された電波に係る信号の処理を行う。電波の例としてテレビジョン放送を挙げると、かかるテレビジョン放送が地上波デジタルテレビジョン放送の場合、１３ｃｈから６２ｃｈまでの各物理チャンネルにそれぞれ異なる周波数が割当てられており、例えば、物理チャンネル１３ｃｈは、中心周波数４７３．１４２８５７ＭＨｚ、下限周波数４７２．９２８５７１ＭＨｚ、上限周波数４７３．３５７１４３ＭＨｚと規定されている。
【００３８】
本実施形態では、かかる放送受信部２２４で受信した放送データを、携帯制御部２１０を介し、電子デバイスとしての表示部２１４に表示する。このとき、携帯制御部２１０と表示部２１４との接続は、一部、高速シリアルデータ通信によって為される。これは、主として、携帯端末１１０における信号線数の削減やノイズの低減を目的としたものである。以下、かかる高速シリアルデータ通信を含む放送データの表示動作を説明する。
【００３９】
図４は、放送データの表示動作を説明するための機能ブロック図である。かかる機能ブロックは、電波を送受信するアンテナ２２４ａを有する放送受信部２２４と、携帯制御部２１０と、シリアル変換部２５０と、クロック生成部２５２と、伝送部２５４と、周波数取得部２３０と、周波数調整部２６０と、タイミング生成部２６２と、データ信号の信号処理を行う電子デバイスの例としての表示部２１４とを含んで構成される。伝送部２５４はデータ信号を表示部２１４に伝送するものであって、シフトレジスタ２５６と、バッファ部２５８とを有している。
【００４０】
携帯制御部２１０は、放送受信部２２４が受信したテレビジョン放送から表示部２１４の表示形式に合わせた画像データを生成する。かかる画像データのビット長はアプリケーションに応じて任意に定めることができる。
【００４１】
シリアル変換部２５０は、携帯制御部２１０からの画像データ（パラレルデータ）をシリアルデータに変換し、クロック生成部２５２で生成されたクロック信号３００（詳細は後述する。）に基づいて出力する。シリアルデータには、画像データのみならず、パリティビットなどのチェックサムを含ませることもできる。かかるシリアル変換部２５０により、最小限の信号線数で携帯制御部２１０から表示部２１４に画像データを確実に伝送することができ、ノイズの低減を図ることが可能となる。
【００４２】
クロック生成部２５２は、ＰＬＬ（Phase Locked Loop）等で構成され、所定のクロック信号３００を生成する。クロック信号３００としては、画像データ（パラレルデータ）のデータ信号の伝送周波数を、データビット長で逓倍したものが好ましい。生成されたクロック信号３００は、シリアル変換部２５０、シフトレジスタ２５６、バッファ部２５８、周波数調整部２６０、タイミング生成部２６２などに伝送され、同期を得るための基準信号として作用する。なお、クロック信号３００は、周波数調整部２６０によって適宜変更されるように構成してもよい。
【００４３】
シフトレジスタ２５６は、クロック生成部２５２が生成したクロック信号３００に基づいて、シリアル変換部２５０からシリアルデータを受信し、バッファ部２５８にパラレルデータを出力するためシリアルデータをシフトしながら蓄積する。
【００４４】
バッファ部２５８は、好ましくはデータビット長のセットアップ回路で構成され、後述するタイミング生成部２６２が生成した第１タイミングでシフトレジスタ２５６の出力（パラレルデータ）をセットアップし（信号セットアップ処理）、次の第１タイミングまで維持する。なお、バッファ部２５８は、表示部２１４に送るデータ信号を一時的に保存できるように、所定の記憶容量を備えているとよい。
【００４５】
周波数取得部２３０は、携帯制御部２１０が動作させている機能を参照し、アンテナ２２４ａが送受信する電波の周波数帯を特定する。ここで、周波数取得部２３０は携帯制御部２１０から、機能はともあれ実際に使用する周波数帯を取得してもよい。また例えば、周波数取得部２３０に、機能（通話やワンセグなど）と、その機能に割り当てられた周波数帯をあらかじめ記憶しておくことにより、携帯制御部２１０から使用する機能を取得すれば、対応する周波数を特定することができる。またさらに、周波数取得部２３０によってアンテナ２２４ａが送受信する電波の周波数帯を直接測定してもよい。特定された周波数帯は、周波数調整部２６０に伝えられタイミング生成部２６２を制御する指標として利用される。
【００４６】
周波数調整部２６０は、表示部２１４へ伝送されるデータ信号の伝送周波数またはその高調波の周波数が、周波数取得部２３０が取得した周波数帯に含まれないようにタイミング生成部２６２の出力を調整する。また、周波数調整部２６０が、クロック生成部２５４のクロック信号３００を適宜変更させるように構成してもよい。
【００４７】
タイミング生成部２６２は、伝送部２５４がデータ信号を表示部２１４に伝送するタイミングを生成する。詳しくは、信号セットアップ処理を行う第１タイミングと、信号書込処理を行う第２タイミングとを生成する。第２タイミングにおいては、信号セットアップ処理によりセットアップされたデータ信号を表示部２１４に書き込む（信号書込処理）。本実施形態において、かかる第１タイミングと第２タイミングとは１つの離散信号で示され、例えば、一方を信号の立ち下がりタイミングとすると、他方が立ち上がりタイミングとなる。すなわち、伝送部２５４は信号セットアップ処理と信号書込処理とを交互に行うことでデータ信号を電子デバイスに伝送する。
【００４８】
以下、携帯制御部２１０からの画像データ（パラレルデータ）の伝送周波数を８．６８ＭＨｚ、クロック信号３００の周波数を６９．４４ＭＨｚとして従来の携帯端末１０および本実施形態にかかる携帯端末１１０の表示動作について説明する。
【００４９】
図５は、従来の携帯端末１０の表示動作を示したタイミングチャートである。タイミング生成部２２は、所定クロック間隔で、第１タイミングと第２タイミングを生成している。すなわち、表示部１４に伝送するデータ信号の波長は、クロック信号３００の波長の整数倍に設定される。これにより、別途高周波の信号を設けずにタイミングを変更できる。
【００５０】
かかる離散信号３０２における第１タイミングは、バッファ部２０のセットアップタイミングとなるので、バッファ部２０の出力３０４は、図５のように、第１タイミングで更新され、次の第１タイミングまで維持される。
【００５１】
また、離散信号３０２における第２タイミングは、表示部１４に読み込ませるタイミングとなる。表示部１４は、その画像データの読み込みのため、バッファ部２０の出力３０４が安定するまでのデータセットアップタイム３０６と、その出力３０４を維持するデータホールドタイム３１２とを確保しなくてはならない。従って、タイミング生成部２２は、バッファ部２０が画像データをセットアップした後、表示部１４の仕様によって決まるデータセットアップタイム３０６とデータホールドタイム３１２とを確保できるタイミング（第２タイミング）でバッファ部２０の出力３０４を表示部１４に入力３１０させる。
【００５２】
しかし、このように所定の間隔で生成された第１タイミングと第２タイミングによる離散信号３０２は、伝送周波数３１８（８．６８ＭＨｚ）を固定的に形成してしまう。そのため、テレビジョン放送の物理チャンネル２５ｃｈ（５４７．１４ＭＨｚ）などを視聴する場合、伝送周波数３１８の高調波が干渉し、電波の受信感度に影響を及ぼしてしまう。
【００５３】
そこで、本実施形態では、表示部２１４に伝送されるデータ信号の伝送周波数およびその高調波の周波数が、周波数取得部２３０によって取得された周波数帯に含まれないように、周波数調整部２６０がタイミング生成部２６２の出力を調整する。以下、図６および図７を用いて、本実施形態にかかる携帯端末１１０の表示動作を詳述する。
【００５４】
図６は、本実施形態にかかる携帯端末１１０の干渉周波数帯取得時の表示動作を示したタイミングチャートである。携帯端末１１０は、アンテナが送受信している電波の周波数帯を取得すると、周波数調整部２６０によってタイミング生成部２６２の第１タイミングおよび第２タイミングを調整させる。このタイミングの調整は、クロック信号３００に基づいて行われる。すなわち、データ信号の波長は、クロック信号３００の波長の整数倍に設定される。これにより、別途高周波の信号を設けずにタイミングを調整できる。
【００５５】
図６においては、所定時間（例えば、タイミングを調整しない場合において、１フレームの書き込みに要する時間）の前半部分において、１クロック分延長したデータホールドタイム３１４ａを生成するように、周波数調整部２６２がタイミング生成部２６２の出力を変更させ、伝送周波数３２０ａ（７．５９５ＭＨｚ）を形成している。また、所定時間の後半部分において、１クロック分短縮したデータホールドタイム３１４ｂを生成するように、周波数調整部２６０がタイミング生成部２６２の出力を調整させ、伝送周波数３２０ｂ（９．７６５ＭＨｚ）を形成している。
【００５６】
このように、タイミング生成部２６２の出力を調整することで、従来の８クロックの波形（伝送周波数３１８）に換えて、７クロックの波形（伝送周波数３２０ｂ）と９クロックの波形（伝送周波数３２０ａ）を生成させ、アンテナが送受信している電波の周波数帯との干渉を低減している。
【００５７】
また、伝送周波数３１８よりも、低周波数である伝送周波数３２０ａと高周波数である伝送周波数３２０ｂを併用することにより、所定時間内におけるセットアップ処理の処理回数および信号書込処理の処理回数を、従来の所定時間内の処理回数と同一となるように設定し、高周波数化に起因する過度な伝送に基づく負荷の低減、低周波数化に起因する信号データの伝送遅れの抑制を図っている。
【００５８】
なお、上記の構成では、データホールドタイム３１２を１クロック分伸縮するようにタイミング生成部２６２の出力を調整しているが、表示部２１４にデータを読み込ませるために十分な長さのデータセットアップタイム、表示部２１４の仕様に適合した十分な長さのデータホールドタイムを確保できれば、どのようにタイミング生成部２６２の出力を設定してもよい。
【００５９】
図７は、本実施形態にかかる携帯端末１１０の干渉周波数帯取得時の他の表示動作を示したタイミングチャートである。携帯端末１１０は、電波の周波数帯を取得すると、周波数調整部２６０によってクロック生成部２５２に、新たなクロック信号３０１を生成させる（以下、クロック信号３０１の周波数を７８．１２ＭＨｚとして説明する。）。
【００６０】
生成されたクロック信号３０１は、シリアル変換部２５０、シフトレジスタ２５６、バッファ部２５８、周波数調整部２６０、タイミング生成部２６２などに伝送され、同期を得るための基準信号として作用する。タイミング生成部２６２は、新たなクロック信号３０１に基づき、所定クロック間隔（図では８クロック）で固定的に第１タイミングと第２タイミングを生成するので、タイミング生成部２６２の出力が狭まり、伝送周波数３１８よりも速い伝送周波数３２２（９．７６５ＭＨｚ）が形成される。これにより、電波の周波数帯との干渉を防止している。
【００６１】
なお、単に伝送周波数を上げてしまうと、高周波数化に起因して過度な伝送が行われ、各機器に多大な負荷がかかってしまうおそれがある。そこで、所定時間（例えば、タイミングを変更しない場合において、１フレームの書き込みに要する時間）に伝送するデータ量を一定とする。具体的には、携帯制御部２１０から伝送された画像データをバッファ部２５８に保存し、所定の待機時間が経過してから高速に出力している。換言すれば、所定時間内におけるセットアップ処理の処理回数および信号書込処理の処理回数を従来所定時間内の処理回数と同一となるように設定している。これにより、負荷の低減を図ることができる。
【００６２】
なお、クロック信号３０１は、表示部２１４にデータを読み込ませるために十分な長さのデータセットアップタイム３０８および表示部２１４の仕様に適合した十分な長さのデータホールドタイム３１６を確保できる範囲内でどのように設定してもよい。
【００６３】
図８は、本実施形態にかかる携帯端末１１０の効果を示したスペクトル図である。図８において、点線はタイミング調整前またはクロック信号変更前の伝送周波数の高調波のスペクトルを示し、実線はタイミング調整後またはクロック信号変更後の伝送周波数の高調波のスペクトルを示す。このように、伝送周波数を変更することにより、その高調波のスペクトルを調整し、テレビジョン放送（物理チャンネル２５ｃｈ）への干渉を低減することができる。なお、図８では、理解を容易にするためにタイミング調整後またはクロック信号変更後の伝送周波数の高調波のスペクトルを１種類のみ記載している。
【００６４】
このように、使用する無線の周波数に応じてデータ信号の伝送周波数を変更することにより、その外乱がアンテナ特性に及ぼす影響を低減することができ、テレビジョン放送や無線通信などの電波の受信感度を向上することが可能となる。したがって、装置の小型軽量化に伴ってアンテナと電子回路が近接した場合においても、安定した電波の送受信を行うことができる。
【００６５】
さらに、自装置が出す高調波ノイズによる干渉が発生しなくなることから、ノイズ対策部品の点数を削減することができ、コスト低減にも寄与する。
【００６６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６７】
例えば、上述した実施形態においては、電子デバイスとして表示部２１４を挙げて説明したが、かかる場合に限られず、外部メモリなどの周期的にデータを書き込む様々な電子機器または電子素子を適用することができる。
【００６８】
また、上述した実施形態においては、周波数調整部２６０により第１タイミングと第２タイミングの両方を調整しているが、本発明はこれに限定されず、第１タイミングと第２タイミングの一方を調整するものであってもよい。一方を調整することでも、伝送周波数またはその高調波の周波数がテレビジョン放送や無線通信におけるアンテナ特性に及ぼす影響を低減できる。
【００６９】
また、上述した実施形態においては、データの伝送経路の一部に高速シリアルデータ通信を用いているがかかる場合に限られず、一貫してシリアルデータまたはパラレルデータを伝送する伝送経路にも当然にして適用することができる。
【産業上の利用可能性】
【００７０】
本発明は、電波を送受信する携帯端末に利用可能である。
【図面の簡単な説明】
【００７１】
【図１】無線通信システムの概略的な接続関係を示した説明図である。
【図２】携帯端末のハードウェア構成を示した機能ブロック図である。
【図３】携帯端末の外観を示した斜視図である。
【図４】放送データの表示動作を説明するための機能ブロック図である。
【図５】従来の携帯端末の表示動作を示したタイミングチャートである。
【図６】本実施形態にかかる携帯端末の干渉周波数帯取得時の表示動作を示したタイミングチャートである。
【図７】本実施形態にかかる携帯端末の干渉周波数帯取得時の他の表示動作を示したタイミングチャートである。
【図８】本実施形態にかかる携帯端末の効果を示したスペクトル図である。
【図９】従来の携帯端末における携帯制御部と表示部とのインタフェースの一例を示した機能ブロック図である。
【符号の説明】
【００７２】
１０…携帯端末、１００…無線通信システム、１１０…携帯端末、１２…携帯制御部、１２０…基地局、１３０…通信網、１４…表示部、１４０…管理サーバ、１５０…放送局、１６…シリアル変換部、１８…シフトレジスタ、２０…バッファ部、２１０…携帯制御部、２１２…携帯メモリ、２１４…表示部、２１６…操作部、２１８…音声入力部、２２０…音声出力部、２２２…無線通信部、２２４…放送受信部、２２４ａ…アンテナ、２３０…周波数取得部、２５０…シリアル変換部、２５２…クロック生成部、２５４…伝送部、２５６…シフトレジスタ、２５８…バッファ部、２６０…周波数調整部、２６２…タイミング生成部、３００、３０１…クロック信号
【図１】
2010154362.tif 000003
【図２】
2010154362.tif 000004
【図３】
2010154362.tif 000005
【図４】
2010154362.tif 000006
【図５】
2010154362.tif 000007
【図６】
2010154362.tif 000008
【図７】
2010154362.tif 000009
【図８】
2010154362.tif 000010
【図９】
2010154362.tif 000011